(57)【特許請求の範囲】
【請求項１】
ハロゲンサイクルを利用する高圧放電ランプを、定格電力或いは当該定格電力よりも低い電力である一定電力で点灯させ、光源として利用する投射型画像表示装置であって、
前記高圧放電ランプを点灯させながらランプ特性を改善させる特性改善処理を実行する処理手段と、
特性改善処理の実行を受け付ける受け付け手段と、
前記特性改善処理の実行を受け付けたときに、特性改善処理の実行を前記処理手段に指示する制御手段とを備え、
前記特性改善処理は、前記高圧放電ランプの点灯電力を前記一定電力よりも低い値に一時的に変化させて、前記高圧放電ランプを低電力点灯させる処理を含み、
前記一時的とは、５分以上６０分以下の範囲内の時間である
ことを特徴とする投射型画像表示装置。
【請求項２】
前記ランプ特性は経時的に劣化し、
前記投射型画像表示装置は、さらに、
劣化したランプ特性を回復させる時期に達したか否かを判定する判定手段と、
前記回復させる時期に達した場合に、ランプ特性を回復させる状態にあることを報知する報知手段とを備え、
前記制御手段は、前記特性改善処理の実行を前記報知後に受け付けたときに、劣化したランプ特性を回復すべく前記特性改善処理の実行を前記処理手段に指示する
ことを特徴とする請求項１に記載の投射型画像表示装置。
【請求項３】
前記特性改善処理は、前記高圧放電ランプを低電力点灯させた後に、点灯電力を前記低電力点灯時の点灯電力より高い値に一時的に変化させて、前記高圧放電ランプを高電力点灯させる処理を含む
ことを特徴とする請求項１又は２に記載の投射型画像表示装置。
【請求項４】
前記高圧放電ランプを高電力点灯させる処理における前記一時的とは、５秒以上３０分以下の範囲内の時間である
ことを特徴とする請求項３に記載の投射型画像表示装置。
【請求項５】
前記低電力点灯させる際に、点灯周波数と点灯電流波形の少なくとも一方を一時的に変化させる処理を含み、
点灯周波数の一時的な変化は前記一定電力で点灯時の点灯周波数以下の値への変化であり、点灯電流波形の一時的な変化は前記一定電力で点灯時の点灯電流波形の極性反転前の電流波高値と実効値との比の値において前記一定電力で点灯時の場合の比以上の値への変化である
ことを特徴とする請求項３又は４に記載の投射型画像表示装置。
【請求項６】
前記低電力点灯及び高電力点灯させる際に、点灯周波数と点灯電流波形の少なくとも一方を一時的に変化させる処理を含み、
前記低電力点灯における、点灯周波数の一時的な変化は前記一定電力で点灯時の点灯周波数以下の値への変化であり、点灯電流波形の一時的な変化は前記一定電力で点灯時の点灯電流波形の実効値以上の値への変化であり、
前記高電力点灯における、点灯周波数の一時的な変化は前記低電力点灯における変化後の点灯周波数以上の値への変化であり、点灯電流波形の一時的な変化は前記低電力点灯における変化後の点灯電流波形の極性反転前の電流波高値と実効値との比の値において一定電力で点灯時の場合の比以下の値への変化である
ことを特徴とする請求項３又は４に記載の投射型画像表示装置。
【請求項７】
前記特性改善処理では、前記低電力点灯と前記高電力点灯とを行う処理が１回以上実施される
ことを特徴とする請求項３〜６の何れか１項に記載の投射型画像表示装置。
【請求項８】
前記特性改善処理において行なう変化は、前記高圧放電ランプのランプ特性の経時変化に応じて、変化の度合いが異なる
ことを特徴とする請求項１〜７の何れか１項に記載の投射型画像表示装置。
【請求項９】
前記変化の度合いは、前記高圧放電ランプの照度の変化に応じて異なる
ことを特徴とする請求項８に記載の投射型画像表示装置。
【請求項１０】
前記低電力点灯における点灯電力の変化は、前記一定電力に対して８５（％）以下の範囲内にあり、前記高電力点灯における点灯電力の変化は、前記一定電力に対して９０（％）以上１００（％）以下の範囲内にある
ことを特徴とする請求項３〜７の何れか１項に記載の投射型画像表示装置。
【請求項１１】
ハロゲンサイクルを利用する高圧放電ランプを、定格電力或いは当該定格電力よりも低い電力である一定電力で点灯させる点灯装置であって、
前記高圧放電ランプを点灯させながらランプ特性を改善させる特性改善処理を実行する処理手段と、
特性改善処理の実行を受け付ける受け付け手段と、
前記特性改善処理の実行を受け付けたときに、特性改善処理の実行を前記処理手段に指示する制御手段とを備え、
前記特性改善処理は、前記高圧放電ランプの点灯電力を前記一定電力よりも低い値に一時的に変化させて、前記高圧放電ランプを低電力点灯させる処理を含み、
前記一時的とは、５分以上６０分以下の範囲内の時間である
ことを特徴とする点灯装置。
【請求項１２】
前記ランプ特性は経時的に劣化し、
前記点灯装置は、さらに、
劣化したランプ特性を回復させる時期に達したか否かを判定する判定手段と、
前記回復させる時期に達した場合に、当該回復させる状態にあることを報知する報知手段とを備え、
前記制御手段は、前記特性改善処理の実行を前記報知後に受け付けたときに、劣化したランプ特性を回復すべく特性改善処理の実行を前記処理手段に指示する
ことを特徴とする請求項１１に記載の点灯装置。
【請求項１３】
ハロゲンサイクルを利用する高圧放電ランプを、定格電力或いは当該定格電力よりも低い電力である一定電力で点灯させる点灯方法であって、
ランプ特性を回復させる時期に達したか否かを判定する判定ステップと、
前記回復させる時期に達した場合に、当該回復させる状態にあることを報知する報知ステップと、
特性回復の処理の実行を受け付ける受け付けステップと、
前記報知後に前記処理の実行を受け付けた場合に、劣化したランプ特性を回復させるべく、前記高圧放電ランプを点灯させながらランプ特性を改善させる特性改善処理を実行する処理ステップとを含み、
前記特性改善処理は、前記高圧放電ランプの点灯電力を前記一定電力よりも低い値に一時的に変化させて、前記高圧放電ランプを低電力点灯させる処理を含み、
前記一時的とは、５分以上６０分以下の範囲内の時間である
ことを特徴とする点灯方法。
【請求項１４】
前記処理ステップは、
前記高圧放電ランプを低電力点灯させた後に、点灯電力を前記低電力点灯時の点灯電力より高い値に一時的に変化させて、前記高圧放電ランプを高電力点灯させる処理と
を含むことを特徴とする請求項１３に記載の点灯方法。
【発明の詳細な説明】
【技術分野】
【０００１】
本発明は高圧放電ランプを光源に用いた投射型画像表示装置、点灯装置及び点灯方法に関する。
【背景技術】
【０００２】
投射型画像表示装置の光源として用いられる高圧放電ランプ（以下、単に「ランプ」という。）は、放電容器内の放電空間に発光物質が封入されていると共に、放電空間内では先端同士が対向する状態で一対の電極が設けられている。放電空間内には、発光物質の他、ハロゲンが封入されたものがあり、点灯維持中に生じるハロゲンサイクルを利用して、放電アークの熱負荷によって電極先端から蒸発した電極材料を電極先端に還元し、電極の消耗を抑制している。
【０００３】
このようなハロゲンサイクルを利用するランプは、点灯維持中に生じるハロゲンサイクルが有効に機能する適正な状態となるように、ランプに印加される点灯電力、点灯周波数（電流の周波数である。）、点灯電流波形を組み合わせた点灯用の制御パターンや、放電空間内の水銀やハロゲン等の封入量、電極間の距離等が決定されている。なお、電極の材料にはタングステンが使用されることが多い。
【０００４】
ところで、ランプの点灯を維持した累積時間（以下、「累積点灯時間」という。）が長くなるにつれて、ハロゲンサイクルによる電極材料の還元作用よりも蒸発作用の方が大きくなり、電極は徐々に後退（消耗）し、電極間距離の拡大や放電アークの位置ズレが生じる。
電極間距離の拡大や放電アークの位置ズレは、当初の電極間の距離を基準に設定されている反射鏡とで位置ズレを招き、この位置ズレにより反射効率が減衰する。そして、結果的に、スクリーン照度が低下し、ランプの短寿命化（照度が初期照度に対して約５０％になると寿命とみなしている。）をもたらす。
【０００５】
ランプの寿命を長くする技術としては、寿命初期（累積点灯時間が短い期間）の点灯電力を定格値以下で点灯させるもの（特許文献１）や、ランプ点灯時のランプ電圧に応じて、電力の変化する範囲（電力の振幅）と周波数を変化させるもの（特許文献２）等がある。
【特許文献１】特開２０００−２８９８８号公報
【特許文献２】特開２００５−２０９５７２号公報
【発明の開示】
【発明が解決しようとする課題】
【０００６】
しかしながら、上記の技術では、常時もしくは周期的に低電力で点灯することによって、ランプへの熱負荷を低減し、ランプの長寿命化を実現しているものの、ランプの定格電力使用時における明るさを確保できているとは言い難い。
本発明は上記課題に鑑みてなされたものであって、ランプの定格電力使用時における明るさを確保しつつ、ランプの長寿命化を達成することができる投射型画像表示装置、点灯装置及び点灯方法を提供することを目的とする。
【課題を解決するための手段】
【０００７】
発明者らの上記課題に対し検討した結果、点灯電力を変化させることにより電極先端の広範囲に亘って電極材料が還元するのを見出し、さらに、点灯電流の波形を変形することによりアーク位置の変動が抑制され、電極先端の中央部分に電極材料が還元することも見出した。
また、点灯電力を定格値付近に戻すことによって、還元した電極材料が溶融し、電極先端を適切な形状に近づけることができ、電子放出スポット、又はアークスポットが回復することを見出した。
【０００８】
さらに、「定格電力よりも低い点灯電力での低電力点灯」と「低電力点灯時の点灯電力よりも高い高電力点灯」とを行うことによって、ランプ電圧の低下（即ち電極間距離）の改善（回復）と、適切なアークスポットの改善（回復）を、短時間で実現できることを見出したのである。
以上のことから、上記課題を解決するためには、本発明に係る投射型画像表示装置は、ハロゲンサイクルを利用する高圧放電ランプを、定格電力或いは当該定格電力よりも低い電力で点灯させ、光源として利用する投射型画像表示装置であって、前記高圧放電ランプを点灯させながらランプ特性を改善させる特性改善処理を実行する処理手段と、特性改善処理の実行を受け付ける受け付け手段と、前記特性改善処理の実行を受け付けたときに、特性改善処理の実行を前記処理手段に指示する制御手段とを備えることを特徴としている。
【０００９】
ここでいう「高圧放電ランプを、定格電力或いは当該定格電力よりも低い電力で点灯させ、光源として利用する投射型画像表示装置」とは、画像を通常に表示させているスクリーンの輝度と、通常よりも暗めに画像を表示させている（所謂、「エコモード」である。）スクリーンの輝度とを調整できるような投射型画像表示装置であり、具体的には、光源となる高圧放電ランプの点灯電力を変化させて点灯できるような装置をいう。
【００１０】
また、「特性改善処理の実行を受け付けたとき」とは、ランプ特性が劣化している時に受け付けても良いし、ランプ特性が劣化する前に受け付けても良い。つまり、ランプ特性がどのような状態で上記の処理を受けつけたとしても、ランプ特性の改善が図れる。
なお、「特性改善処理の実行を受け付けたときに、特性改善処理の実行を前記処理手段に指示する」とは、特性改善処理の実行を受け付けた後に、装置の電源がオフ（高圧放電ランプの消灯である。）されたとき、例えば、実行を受け付けた旨を記憶し、次回の装置がオンされたときに、実行するようにしても良いし、さらには、画像を表示せずに高圧放電ランプを点灯させたままで当該処理を実行するようにしても良い。
【００１１】
また、前記ランプ特性は経時的に劣化し、前記投射型画像表示装置は、さらに、劣化したランプ特性を回復させる時期に達したか否かを判定する判定手段と、前記回復させる時期に達した場合に、ランプ特性を回復させる状態にあることを報知する報知手段とを備え、前記制御手段は、前記特性改善処理の実行を前記報知後に受け付けたときに、劣化したランプ特性を回復すべく前記特性改善処理の実行を前記処理手段に指示することを特徴とし、或いは、前記特性改善処理は、前記高圧放電ランプの点灯電力を定格電力よりも低い値に一時的に変化させて、前記高圧放電ランプを低電力点灯させる処理を含むことを特徴としている。
【００１２】
また、前記特性改善処理は、前記高圧放電ランプを低電力点灯させた後に、点灯電力を前記低電力点灯時の点灯電力より高い値に一時的に変化させて、前記高圧放電ランプを高電力点灯させる処理を含むことを特徴とし、或いは、前記低電力点灯させる際に、点灯周波数と点灯波形の少なくとも一方を一時的に変化させる処理を含み、点灯周波数の一時的な変化は前記点灯時の点灯周波数以下の値への変化であり、点灯波形の一時的な変化は前記点灯時の点灯波形以上の値への変化であることを特徴としている。
【００１３】
さらに、前記低電力点灯及び高電力点灯させる際に、点灯周波数と点灯波形の少なくとも一方を一時的に変化させる処理を含み、前記低電力点灯における、点灯周波数の一時的な変化は前記定格点灯時の点灯周波数以下の値への変化であり、点灯波形の一時的な変化は前記定格点灯時の点灯波形以上の値への変化であり、前記高電力点灯における、点灯周波数の一時的な変化は前記低電力点灯における変化後の点灯周波数以上の値への変化であり、点灯波形の一時的な変化は前記低電力点灯における変化後の点灯波形以下の値への変化であることを特徴とし、或いは、前記特性改善処理では、前記低電力点灯と前記高電力点灯とを行う処理が１回以上実施されることを特徴としている。
【００１４】
また、前記特性改善処理において行なう変化は、前記高圧放電ランプのランプ特性の経時変化に応じて、変化の度合いが異なることを特徴とし、前記変化の度合いは、前記高圧放電ランプの照度の変化に応じて異なることを特徴とし、さらには、前記低電力点灯における点灯電力の変化は、前記定格電力に対して８５（％）以下の範囲内にあり、前記高電力点灯における点灯電力の変化は、前記定格電力に対して９０（％）以上１００（％）以下の範囲内にあることを特徴としている。
【００１５】
一方、上記課題を解決するためには、本発明に係る点灯装置は、ハロゲンサイクルを利用する高圧放電ランプを、定格電力或いは当該定格電力よりも低い電力で点灯させる点灯装置であって、前記高圧放電ランプを点灯させながらランプ特性を改善させる特性改善処理を実行する処理手段と、特性改善処理の実行を受け付ける受け付け手段と、前記特性改善処理の実行を受け付けたときに、特性改善処理の実行を前記処理手段に指示する制御手段とを備えることを特徴としている。
【００１６】
ここでいう「ハロゲンサイクルを利用する高圧放電ランプを、定格電力或いは当該定格電力よりも低い電力で点灯させる点灯装置」とは、通常に高圧放電ランプを点灯させたり、通常よりも暗めに高圧放電ランプを点灯（所謂、「調光点灯」である。）させたりする昨日を有する点灯装置をいう。
また、「特性改善処理の実行を受け付けたとき」とは、ランプ特性が劣化している時に受け付けても良いし、ランプ特性が劣化する前に受け付けても良い。つまり、ランプ特性がどのような状態で上記の処理を受けつけたとしても、ランプ特性の改善が図れる。
【００１７】
なお、「特性改善処理の実行を受け付けたときに、特性改善処理の実行を前記処理手段に指示する」とは、特性改善処理の実行を受け付けた後に、装置の電源がオフ（高圧放電ランプの消灯）されたとき、例えば、実行を受け付けた旨を記憶し、装置が次回にオンされたときに、実行するようにしても良い。
また、前記ランプ特性は経時的に劣化し、前記点灯装置は、さらに、劣化したランプ特性を回復させる時期に達したか否かを判定する判定手段と、前記回復させる時期に達した場合に、当該回復させる状態にあることを報知する報知手段とを備え、前記制御手段は、前記特性改善処理の実行を前記報知後に受け付けたときに、劣化したランプ特性を回復すべく特性改善処理の実行を前記処理手段に指示することを特徴としている。
【００１８】
一方、上記課題を解決するためには、本発明に係る点灯方法は、ハロゲンサイクルを利用する高圧放電ランプを、定格電力或いは当該定格電力よりも低い電力で点灯させる点灯方法であって、ランプ特性を回復させる時期に達したか否かを判定する判定ステップと、
前記回復させる時期に達した場合に、当該回復させる状態にあることを報知する報知ステップと、特性回復の処理の実行を受け付ける受け付けステップと、前記報知後に前記処理の実行を受け付けた場合に、劣化したランプ特性を回復させるべく、前記高圧放電ランプを点灯させながらランプ特性を改善させる特性改善処理を実行する処理ステップとを含むことを特徴としている。
【００１９】
また、前記処理ステップは、前記高圧放電ランプの点灯電力を前記定格電力よりも低い値に変化させて、前記高圧放電ランプを低電力点灯させる処理と、前記高圧放電ランプを低電力点灯させた後に、点灯電力を前記低電力点灯時の点灯電力より高い値に変化させて、前記高圧放電ランプを高電力点灯させる処理とを含むことを特徴としている。
【発明の効果】
【００２０】
本発明に係る投射型画像表示装置は、特性改善回復処理の実行を受け付けたときに、特性改善処理の実行を行なうので、ユーザは当該処理が行なわれるのを承知していることとなり、当該処理中に、画像が表示されているスクリーンの輝度が変化するようなことができる。そして、この処理が行なわれない場合には、ランプの定格電力使用時における明るさや輝度ムラの抑制を確保できる。また、特性改善処理により、ランプ電圧の低下（即ち電極間距離）の改善と、適切なアークスポットの改善を実現できるので、結果的に、ランプの長寿命化を達成することができる。
【００２１】
一方、本発明に係る点灯装置は、特性改善回復処理の実行を受け付けたときに、特性改善処理の実行を行なうので、ユーザは当該処理が行なわれるのを承知していることとなり、当該処理中に、高圧放電ランプの輝度が変化するようなことができる。そして、この処理が行なわれない場合には、ランプの定格電力使用時における明るさや輝度ムラの抑制を確保できる。また、特性改善処理により、ランプ電圧の低下（即ち電極間距離）の改善と、適切なアークスポットの改善を実現できるので、結果的に、ランプの長寿命化を達成することができる。
【００２２】
一方、本発明に係る点灯方法は、特性改善回復処理の実行を受け付けたときに、特性改善処理の実行を行なうので、ユーザは当該処理が行なわれるのを承知していることとなり、当該処理中に、高圧放電ランプの輝度が変化するようなことができる。そして、この処理が行なわれない場合には、ランプの定格電力使用時における明るさや輝度ムラの抑制を確保できる。また、特性改善処理により、ランプ電圧の低下（即ち電極間距離）の改善と、適切なアークスポットの改善を実現できるので、結果的に、ランプの長寿命化を達成することができる。
【発明を実施するための最良の形態】
【００２３】
以下、本発明の実施の形態に係る前面投射型画像表示装置（以下、単に「表示装置」とすることもある。）について説明する。
＜第１の実施の形態＞
１．前面投射型画像表示装置
以下、本発明に係る前面投射型の画像表示装置（以下、「液晶プロジェクタ」という。）についてそれぞれ図面を参照しながら説明する。
【００２４】
図１は、実施の形態に係る液晶プロジェクタの一部を切り欠いた斜視図である。
液晶プロジェクタ１は、図１に示すように、ランプ（図示省略）を内部に有するランプユニット３、制御ユニット５、ランプを点灯させるための点灯装置７、集光レンズと透過型のカラー液晶表示板と駆動モータが内蔵されているレンズユニット９、冷却用のファン１１等を筐体１３の内部に備える。
【００２５】
そして、液晶プロジェクタ１は、ランプユニット３から出射された光を、レンズユニット９の内部に配されている集光レンズ等で集光すると共に、光路上に配されたカラー液晶表示板を透過する。これにより、液晶表示板に形成された画像が、レンズ１９等を介して図外のスクリーン上に投影される。
制御ユニット５は、レンズユニット９の上部に配された基板１５と、この基板１５に実装された複数の電子・電気部品１７から構成され、外部から入力された画像信号に基づき、カラー液晶表示板を駆動させてカラー画像を表示させたり、レンズユニット９の内部に配されている駆動モータを制御してフォーカシング動作やズーム動作を実行させたりする。
【００２６】
制御ユニット５は、上記機能以外に、ランプの点灯・消灯を点灯装置７に指示したり、ランプを点灯させながら劣化したランプ特性を回復させる処理（この処理を、以下「ランプリフレッシュ処理」といい、本発明の「特性回復処理」に相当する。）を点灯装置７に指示したりする。
ランプリフレッシュ処理の指示については、定格点灯中のランプ電圧が所定の電圧に達した場合に、その情報が点灯装置７から制御ユニット５にフィードバックされ、これを受け、制御ユニット５は、使用者にランプリフレッシュ処理を行なう時期に達したことを表示部２１に点灯表示し、使用者がランプリフレッシュ処理を実行するよう操作部（例えば、ボタンスイッチ）２３を操作する（つまり、使用者の指示を受け付ける）と、ランプリフレッシュ処理を指示する。
【００２７】
なお、ランプリフレッシュ処理を行なう時期に達した旨を表示部２１に表示しても、使用者が操作部２３を操作しない場合（使用者の指示を受け付けていない場合である。）、制御ユニット５は、通常の定格電力での点灯維持を継続するように点灯装置７に制御信号を送信し、通常の制御、例えば外部から入力された画像信号に基づく画像を表示する。
２．ランプユニット
図２は、本実施の形態に係るランプユニットの斜視図であり、図３は、ランプユニットの平面図であり、内部のランプの様子が分かるように反射鏡を切り欠いている。
【００２８】
ランプユニット３は、同図に示すように、ランプ３１と、反射鏡３３とを備え、反射鏡３３の内部にランプ３１が組み込まれている。
（１）ランプの構成
ランプ３１は、図３に示すように、内部に放電空間３５を有する発光部３７とこの発光部３７の両側に設けられた封止部３９、４１とから構成される放電容器４３と、前記放電空間３５の内部で先端（後述する電極）同士が対向する状態で両封止部３９、４１に封着されている電極構成体４５ａ、４５ｂとからなる。
【００２９】
電極構成体４５ａ、４５ｂは、電極４７ａ、４７ｂ、金属箔４９ａ、４９ｂ及び外部リード線５１ａ、５１ｂがこの順で接続（例えば溶接により固着されている。）されている。ここで、電極構成体４５ａ、４５ｂの先端が電極４７ａ、４７ｂとなる。
外部リード線５１ａ、５１ｂは、両封止部３９，４１における発光部３７の反対側の端面から外部に導出されている。なお、外部リード線５１ｂは、図２及び図３に示すように、反射鏡３３に形成されている貫通孔５４を通って、反射鏡３３の外部へと導出されている。
【００３０】
電極４７ａ、４７ｂは、電極軸５３ａ，５３ｂと、この電極軸５３ａ，５３ｂの先端に設けられた電極コイル５５ａ，５５ｂとからなり、放電空間３５において、電極軸５３ａ，５３ｂが略一直線上となるように対向配設されている。電極コイル５５ａ，５５ｂの先端部分は、アーク発生位置を安定させるために、凸部が形成されている。
なお、電極は、電極軸と電極コイルとが異なる材料で構成されていても良いし、同じ材料（例えばタングステン）で構成されていても良い。
【００３１】
電極構成体４５ａ，４５ｂは、電極コイル５５ａ，５５ｂの距離（この距離が「電極間距離」である。）を所定寸法にした状態で、主に金属箔４９ａ，４９ｂが封止部３９，４１に封着される。これにより発光部３７の内部に放電空間３５が形成される。この電極構成体４５ａ，４５ｂが封止部３９，４１に封着された状態では、図３に示すように、電極４７ａ，４７ｂが封止部３９，４１から放電空間３５へ延出する。
【００３２】
放電空間３５には、発光物質である、例えば水銀２９の他、始動補助ガス、ハロゲンサイクル用のハロゲン化物が封入されている。
封止部３９，４１のうち一方、例えば封止部３９における発光部３７と反対側の端部には、図３に示すように、口金５７がセメント５９を介して被着されており、外部リード線５１ａが口金５７に接続されている。
（２）反射鏡の構成
反射鏡３３は、図２及び図３に示すように、凹面上の反射面６１が形成された本体部材６３を有している。この本体部材６３の開口６５には前面ガラス６７が設けられている。なお、本体部材６３と前面ガラス６７との固着は、例えば、シリコーン系の接着剤を用いて行われている。
【００３３】
反射鏡３３は、例えば、ダイクロイック反射鏡であり、ランプ３１の発光部３７から発せられた光を第２の焦点地位（前面ガラス６７側）へと反射させている。なお、反射面６１は、累積点灯時間が短い段階（この期間を、以下、「点灯初期段階」という。）の電極４７ａ，４７ｂ間で発せられた光を第２の焦点位置に反射するように設定されており、例えば、累積点灯時間が長くなり電極間距離が拡大すると、反射鏡３３とランプ３１の発光中心との間の位置ズレが生じ、ランプ３１から発せられた光を第２の焦点位置に反射させる効率が低下する。
【００３４】
本体部材６３の形状は漏斗状をしており、開口径の小さい部分６９には、図３に示すように、ランプ３１の一方の封止部３９が挿入されている貫通孔７１が形成されている。なお、ランプフ３１の一方の封止部３９は、貫通孔７１に挿入された状態で、例えば、セメント７２により反射鏡３３に固着される。
３．ランプの点灯方法
上記ランプ３１の点灯方法について説明する。
【００３５】
図４は、ランプの制御特性を示す図である。
この図４は、高圧の放電電圧（例えばパルス電圧）をランプ３１に印加して絶縁破壊させた後に供給されるランプ電圧Ｖｌａとランプ電力Ｗｌａの相関図である。
点灯装置７は、制御ユニット５から点灯開始の指示があると、ランプ３１に絶縁破壊を生じさせるために、パルス電圧をランプ３１に印加して、ランプ３１の放電を開始させる。
【００３６】
その後、図４に示すように、先ず絶縁破壊後から任意の設定電圧までの区間（図中の「定電流制御区間」である。）では定電流制御が行われ、その後（図中の「定電力制御区間」である。）、定電力制御が行われる。
なお、この点灯方法は従来の点灯方法と同様であり、定電力制御は、一定の電力値として定格電力値を設定し、所定の点灯周波数（電流の周波数である。）で行われ、この制御中の点灯を定格電力点灯という。定格電力値や周波数はランプの仕様によって個別的に設定されている。なお、具体的な実施例については、後のランプの仕様で説明する。
４．ランプリフレッシュ処理
ランプリフレッシュ処理は、上述したように、劣化したランプ特性を回復させる処理である。この処理により、点灯により徐々に後退した電極の先端に電極材料を積極的に堆積させて、電極間距離を点灯初期段階の状態に近づけることができる。
【００３７】
ランプリフレッシュ処理は、ランプ３１の点灯時の点灯周波数、点灯電流波形、点灯電力から点灯パラメータのうち、少なくとも１つを一時的に変化させてランプ３１を点灯させることで行なわれる。ここで、ランプリフレッシュ処理でのランプ３１の点灯をランプリフレッシュ点灯といい、上記の定格電力点灯と区別する。
具体的には、点灯パラメータのうち、少なくとも点灯電力を一時的に低くさせた（この状態での点灯を「低電力点灯」という。）後、点灯電力を低電力点灯時の点灯電力よりも高くさせる（この状態での点灯を「高電力点灯」という。）ことで行なわれる。
【００３８】
図５は、ランプリフレッシュ処理における電極先端の様子を示す説明図である。なお、図５には、電極４７ｂの電極コイル５５ａについて表し、電極コイル５５ｂについて説明するが、電極４７ａの電極コイル５５ａにも同様の現象が発生し、その説明は電極４７ｂと同じであるため省略する。
まず、同図の（ａ）に示す処理前は、ランプリフレッシュ処理前（直前）の定格点灯中の状態であり、ランプの累積点灯時間が長くなる、或いは、前回のランプリフレッシュ処理からの経過時間が長くなるにつれて、ハロゲンサイクルによる電極材料の還元作用よりも蒸発作用の方が大きくなり、電極コイル５５ｂの先端は徐々に後退し、累積点灯時間が長くなる、或いは、前回のランプリフレッシュ処理からの経過時間が長くなると電極間距離が拡大する。
【００３９】
同図の（ｂ）に示す低電力点灯は、ランプリフレッシュ処理が開始され低電力点灯中の状態であり、上記定格点灯により後退していた電極コイル５５ｂの先端に当該電極コイル５５ｂから蒸発した電極材料を集中して堆積させている。これにより、電極コイル５５ｂが後退して拡大していた電極間距離が縮小する（元に近い状態に回復する。）。なお、当該低電力点灯は所定時間行われる。
【００４０】
同図の（ｃ）に示す高電力点灯は、上記低電力点灯が終了し、高電力点灯中の状態であり、低電力点灯中に電極コイル５５ｂの先端に堆積した電極材料を溶融し適切な先端形状に整形している。なお、当該高電力点灯は所定時間行われる。
上記の低電力点灯及び高電力点灯により、定格点灯時の電極材料の蒸発により後退していた電極４７ａ，４７ｂの先端を元の状態（元の状態に近い状態）に再生できる。つまり、ランプリフレッシュ処理を行なうことにより、電極後退によって劣化していたランプ特性を回復させることができ、ランプ寿命を延長させることができる。
５．点灯装置
（１）構成
図６は、ランプを点灯させるための点灯装置を示すブロック図である。
【００４１】
同図に示すように、点灯装置７は、ＤＣ電源部１０１、ＤＣ／ＤＣコンバータ１０２、ＤＣ／ＡＣインバータ１０３、高圧発生部１０４、点灯制御部１０５、電流検出部１０６及び電圧検出部１０７を備える。
ＤＣ電源部１０１は、家庭用の交流１００Ｖにより直流電圧を生成し、ＤＣ／ＤＣコンバータ１０２に供給する。ＤＣ／ＤＣコンバータ１０２は、ＤＣ電源部１０１から供給された直流電圧を、後述の点灯制御部１０５からの電力設定信号に従って所定電圧の直流電圧に変換し、ＤＣ／ＡＣインバータ１０３に供給する。
【００４２】
ＤＣ／ＡＣインバータ１０３は、供給された直流電圧から所定の周波数の交流矩形電流を生成してランプ３１に印加する。高圧発生部１０４はランプ３１を点灯させるため、つまり、ランプ３１に絶縁破壊を生じさせるために必要となる。なお、高圧発生部１０４では、例えば、高圧パルスを発生させる。
電流検出部１０６は、ランプ３１に流れる電流に相当する電流を検出するもので、検出結果は点灯制御部１０５に送られる。電圧検出部１０７は、ランプ３１に印加される電圧に相当する電圧を検出するもので、検出結果は点灯制御部１０５に送られる。
【００４３】
点灯制御部１０５は、制御ユニット５からの指示により、ランプ３１を定格点灯させたり、消灯させたり、さらには、上述のランプリフレッシュ処理を行なったりする。
点灯制御部１０５は、定格電力点灯時の点灯用の制御パターン（点灯電力、点灯周波数及び点灯電流波形の点灯パラメータの組み合わせ）と、ランプリフレッシュ点灯時の点灯用の制御パターンをそれぞれ図外の記憶部にテーブル（このテーブルを「制御パターンテーブル」という。）として記憶しており、制御ユニット５から指示された制御パターン情報に従ってランプ３１に電力を供給している（ランプを点灯させている。）。なお、点灯用の制御パターンを、単に、制御パターンとする。
【００４４】
点灯制御部１０５は、電圧検出部１０７から検出されたランプ電圧が所定の電圧に達したか否かを判定し、ランプ電圧が所定電圧に達したときに、その旨（図６中の「ランプ電圧情報」である。）を制御ユニット５に送出する。
ランプ電圧情報を受信した制御ユニット５は、使用者がランプリフレッシュ処理を実施するか否かを選択するための情報を表示部２１の点灯という形態で表示し、使用者が選択した（操作部２３の操作の有無）結果が点灯制御部１０５に送出される。
【００４５】
ここで、使用者の選択した結果とは、ランプリフレッシュ処理の実施を選択した（操作部２３を操作した）場合、或いは、ランプリフレッシュ処理の実施を選択しなかった（操作部２３を操作しなかった）場合の２通りである。
使用者の選択結果が、ランプリフレッシュ処理の実施を選択した場合にはランプリフレッシュ点灯用の制御パターン情報が、そして、ランプリフレッシュ処理の実施を選択しなかった場合にはランプリフレッシュ処理を実施しない旨、つまり、定格電力点灯用の制御パターン情報が点灯制御部１０５に送信される。
【００４６】
これを受けた点灯制御部１０５は、制御パターン情報がランプリフレッシュ点灯用の情報である場合は、現在の定格点灯を中断してランプリフレッシュ処理を実施すべく、つまり、ランプリフレッシュ点灯すべく、ＤＣ／ＤＣコンバータ１０２等に指示し、制御パターン情報が定格電力点灯用の情報である場合は、現在の定格点灯をそのまま継続すべく、つまり定格電力点灯すべく、ＤＣ／ＤＣコンバータ１０２等に指示する。
（２）制御パターン
本実施の形態では、ランプ３１を点灯させる制御パターンは、定格電力点灯とランプリフレッシュ点灯の２パターンである。この各制御パターンは、定電力制御を基本としたものであり、上述のように、点灯電力、点灯周波数、点灯電流波形からなる点灯パラメータの組み合わせにより定義される。
【００４７】
点灯電力は点灯装置７のランプ３１に給電する電力であり、そのときの周波数が点灯周波数である。また、ランプ３１に供給する点灯電流の波形は、矩形波形を変形したものであり、極性反転前の電流波高値と実効値との比で表し跳ね上げ率で定義している。
図７は、跳ね上げ率を説明するための図である。
同図に示すように、点灯電流の波形は、矩形波形（破線）に鋸波形を重畳させた形状をし、矩形波形における電流値が一定部分（図中のＡの部分）に相当する部分が時間の経過に従って電流値が増加するような波形となっている。そして、跳ね上げ率は、極性反転前の実効値Ｉ１と、反転前の同極性内での最大の電流値Ｉ２との比率である。つまり、跳ね上げ率は、Ｉ２／Ｉ１で定義される。
【００４８】
図８は、制御パターンテーブルの一例を示す図である。
制御パターンテーブルＴａは、図８に示すように、通常状態での定格電力点灯について、点灯電力Ｗ０、点灯周波数ｆ０及び跳ね上げ率Ｈ０を格納する。また、ランプリフレッシュ処理での低電力点灯について、点灯電力Ｗ１、点灯周波数ｆ１、跳ね上げ率Ｈ１及び時間Ｔ１を格納し、高電力点灯について、点灯電力Ｗ２、点灯周波数ｆ２、跳ね上げ率Ｈ２及び時間Ｔ２を格納する。
【００４９】
定格電力点灯は、ランプ３１から発せられた光を液晶プロジェクタ１の光源として使用されている状態であり、一般的に定格電力点灯が続くと（つまり、累積点灯時間の経過に伴って）、ランプ電圧が上昇すると共に、電極４７ａ，４７ｂの先端の凸部が消耗（消滅）してしまう。電極先端の凸部が消耗した状態が図５の（ａ）の状態である。
ランプリフレッシュ点灯（処理）では、低電力点灯時の制御パターンを上段に、高電力点灯時の制御パターンを下段にそれぞれ示す。なお、ランプリフレッシュ処理では、低電力点灯を８分間行った後、高電力点灯を２分間行う。
【００５０】
低電力点灯では、電極４７ａ，４７ｂの先端から電極材料の蒸発と、ハロゲンサイクルによる先端への電極材料の堆積との均衡が崩れ、電極材料の堆積の方が蒸発より多くなり、図５の（ｂ）に示すように電極５５ａ，５５ｂの先端に凸部に相当すべき堆積部分が形成される。
高電力点灯では、電極４７ａ，４７ｂの先端から電極材料の蒸発と、ハロゲンサイクルにより電極先端への電極材料の堆積との均衡が崩れ、図５の（ｃ）に示すように低電力点灯により形成された堆積部分を、累積点灯時間が初期に近い状態（の形状）に整形する。
【００５１】
このように低電力点灯と高電力点灯とを行うランプリフレッシュ処理により、先端が後退していた電極４７ａ，４７ｂを寿命初期に近い状態に戻すことができる。
（３）点灯制御部のフローチャート
図９は、実施の形態に係るランプの点灯制御の内容を示すフローチャートである。
点灯装置７（点灯制御部１０５）は、制御ユニット５から点灯の指示（制御パターン情報が定格電力点灯用である。）を受けると、ランプ３１の点灯を開始し定格電力点灯を行い（Ｓ１）、電圧検出部１０７を介してランプ電圧Ｖｌａを検出する（Ｓ３）。
【００５２】
点灯制御部１０５は、検出したランプ電圧Ｖｌａが、予め設定されている所定の電圧値Ｖｔｈ以上であるか否かを判定する（Ｓ５）。
ランプ電圧ＶｌａがＶｔｈ未満である場合（図中の「Ｎｏ」である。）、点灯制御部１０５は、定格電力点灯をそのまま維持して、ステップＳ１７で制御ユニット５から消灯の指示があるか否かを判定し、消灯の指示があると（図中の「Ｙｅｓ」である。）、消灯（Ｓ１９）して終了する。
【００５３】
一方、ランプ電圧ＶｌａがＶｔｈ以上である場合（図中の「Ｙｅｓ」である。）、ランプ電圧ＶｌａがＶｔｈ以上に達したというランプ電圧情報を制御ユニット５に送信する（ステップＳ７）。
これを受けた制御ユニット５は、使用者がランプリフレッシュ処理の実施時期であることを示す表示部２１を点灯させ、使用者が選択した結果を受け付けて、その結果（制御パターン情報がランプリフレッシュ点灯用である。）を点灯制御部１０５に送信する。なお、制御ユニット５は、表示部２１の点灯後所定時間経過しても使用者からの選択結果がない場合は、ランプリフレッシュ処理を実施しない旨（制御パターン情報が定格電力点灯用である。）を点灯制御部１０５に送信する。
【００５４】
点灯制御部１０５は、ステップＳ９において、制御ユニット５から制御パターン情報を受信したか否かを判定する。受信していない場合（図中の「Ｎｏ」である。）、ステップＳ９に戻る。受信している場合（図中の「Ｙｅｓ」である。）、制御パターン情報がランプリフレッシュ点灯用であるか否かを判定する（ステップＳ１１）。
制御パターン情報がランプリフレッシュ点灯用である場合（図中の「Ｙｅｓ」である。）、これまで行っていた定格電力点灯を中断した（ステップＳ１３）後、ランプリフレッシュ処理を実施する（ステップＳ１５）。
【００５５】
その後、ステップＳ１７に進んで、制御ユニット５から消灯指示があるか否かを判定し、指示があった場合（図中の「Ｙｅｓ」である。）はそのまま消灯（ステップＳ１９）して終了し、消灯指示がなかった場合（図中の「Ｎｏ」である。）はステップＳ１に戻って、定格電力点灯を行う。
一方、ステップＳ１１で、制御パターン情報がランプリフレッシュ点灯用でない場合、つまり、定格電力点灯用である場合（図中の「Ｎｏ」である。）、ステップＳ１７に進んで、制御ユニット５から消灯指示があるか否かを判定し、上述と同様に、指示があった場合（図中の「Ｙｅｓ」である。）はそのまま消灯（ステップＳ１９）して終了し、消灯指示がなかった場合（図中の「Ｎｏ」である。）はステップＳ１に戻って、定格電力点灯を行う。
【００５６】
図１０は、ランプリフレッシュ処理のフローチャートである。
点灯制御部１０５は、ランプリフレッシュ処理が開始すると、まず、低電力点灯と高電力点灯の処理回数を示す変数ｎを「１」にした（Ｓ２０）後、カウントｔ１をリセットした後カウントを開始し（Ｓ２１）、図８に示す制御パターンテーブルＴａからランプリフレッシュ点灯の低電力点灯用の点灯電力Ｗ１、点灯周波数ｆ１、点灯電流波形Ｈ１、低電力点灯の時間Ｔ１の点灯パラメータを読み出す（Ｓ２３）。
【００５７】
そして、読み出した点灯パラメータに沿って、ＤＣ／ＤＣコンバータ１０２や、ＤＣ／ＡＣインバータ１０３に所定の電流・電圧等を出力するよう指示し、低電力点灯を維持し（Ｓ２５）、カウントｔ１が低電力点灯の時間Ｔ１に達したか否かを判定する（Ｓ２７）。
カウントｔ１が低電力点灯の時間Ｔ１に達していない場合（図中の「Ｎｏ」である。）は、ステップＳ２５に戻り、そのまま低電力点灯を維持し、カウントｔ１が低電力点灯の時間Ｔ１に達している場合（図中の「Ｙｅｓ」である。）は、ステップＳ２９に進んで、カウントｔ２をリセットした後カウントを開始し、制御パターンテーブルＴａからランプリフレッシュ点灯の高電力点灯用の点灯電力Ｗ２、点灯周波数ｆ２、点灯電流波形Ｈ２、高電力点灯の時間Ｔ２の点灯パラメータを読み出す（Ｓ３１）。
【００５８】
そして、読み出した点灯パラメータに沿って、ＤＣ／ＤＣコンバータ１０２や、ＤＣ／ＡＣインバータ１０３に所定の電流・電圧等を出力するよう指示し、高電力点灯を維持し（Ｓ３３）、カウントｔ２がＴ２に達したか否かを判定する（Ｓ３５）。
カウントｔ２が高電力点灯の時間Ｔ２に達していない場合（図中の「Ｎｏ」である。）は、ステップＳ３３に戻り、そのまま高電力点灯を維持し、カウントｔ２が高電力点灯の時間Ｔ２に達している場合（図中の「Ｙｅｓ」である。）は、処理回数を示す変数ｎが設定回数Ｎに達したか否かを判定する（Ｓ３７）。
【００５９】
処理回数を示す変数ｎが設定回数Ｎに達していない場合（図中の「Ｎｏ」である。）は、ステップＳ３９で変数ｎに１を加算して、ステップＳ２１に進む。一方、処理回数を示す変数ｎが設定回数Ｎに達している場合（図中の「Ｙｅｓ」である。）は、制御パターンテーブルＴａから定格電力点灯用の点灯電力Ｗ０、点灯周波数ｆ０、点灯電流波形Ｈ０の点灯パラメータを読み出す（Ｓ４１）。
【００６０】
そして、読み出した制御パラメータに沿って、ＤＣ／ＤＣコンバータ１０２や、ＤＣ／ＡＣインバータ１０３に所定の電流・電圧等を出力するよう指示し、定格電力点灯を維持（Ｓ４３）してリターンし、図９のステップＳ１７に進む。
６．比較試験
次に、本実施の形態に係る液晶プロジェクタにおけるランプの定格電力点灯中に、ランプ電圧が所定の電圧に達したときに、ランプリフレッシュ処理を行った場合と、定格電力で点灯中に、ランプ電圧が所定の電圧に達しても、ランプリフレッシュ処理を行わずに、定格電力点灯を継続させた場合とについて、点灯試験を行うことで両者の比較を行った。
【００６１】
ここでの点灯試験は、３．５時間定格電力点灯させた後に消灯し、消灯時間が０．５時間になると、ランプを再び定格電力点灯させる一連のサイクルを繰り返し、その点灯を維持している累計時間を累積点灯時間としている。
（１）ランプの仕様
本試験に用いたランプ３１は、例えば、液晶プロジェクタに用いられるものとして説明する。ランプ３１は、定格ランプ電力が１６５Ｗタイプのもので、点光源に近づけるために、電極間距離は、１．０（ｍｍ）に設定されている。
【００６２】
発光物質である水銀は、放電空間の内容積あたり２００（ｍｇ／ｃｃ）で封入されている。始動補助用ガスには、アルゴン、クリプトン、キセノンなどの希ガスが用いられている。
（２）点灯方法
図１１は、試験に係るランプの制御パターンテーブルＴａである。
【００６３】
制御パターンは、図１１に示すように、定格電力点灯用とランプリフレッシュ点灯用の２通りであり、各制御パターンの点灯は、図１１に示す制御パターンテーブルＴａに示す点灯電力、点灯周波数、跳ね上げ率、時間等の点灯パラメータに従って行われる。なお、各制御パターンでの点灯電流波形は、図７に示すような矩形波形に鋸波形を重畳したものである。
【００６４】
また、各ランプは、点灯制御部１０５によって、図９に示すフローチャートに従って低格電力点灯される。また、ランプリフレッシュ処理を行なうか否かの判定基準である、図９中の「Ｖｔｈ」は、９０（Ｖ）である。
ランプリフレッシュ処理は、図１０に示すフローチャートに従って行われる。図１０中のＴ１は図１１に示す制御パターンテーブルＴａの「８分」であり、図１０中のＴ２は図１１に示す制御パターンテーブルＴａの「２分」であり、また処理回数についての設定回数「Ｎ」は「２」に設定されている。
【００６５】
試験では、ランプリフレッシュ処理の効果を確認するため、上記条件のランプリフレッシュ処理を計３回行った場合と、ランプリフレッシュ処理を１回も行なわなかった場合との２つ通りを行った。
（３）比較結果
図１２及び図１３は、比較試験の試験結果を示す図である。
【００６６】
なお、図中の実線がランプリフレッシュ処理を行った場合であり、図中の破線がランプリフレッシュ処理を全く行わなかった場合である。また、本方法では、平均照度維持率（％）が５０（％）となったときに、試験中のランプが寿命に達したとして評価する。なお、照度については、ランプ３１からの出力光を、光学系を通して４０インチのスクリーンに投射して当該スクリーン中心部の照度を測定している。
【００６７】
図１２から、ランプリフレッシュ処理を全く行わない点灯方法では、累積点灯時間の増加に伴いランプ電圧Ｖｌａが増加している。一方、ランプ電圧Ｖｌａが９０（Ｖ）でランプリフレッシュ処理を行った場合は、１回の当該処理によりランプ電圧Ｖｌａが８（Ｖ)程度下がっていることが分かる。
図１４は、ランプリフレッシュ処理前後の電極先端の状態を示す写真である。なお、図１４に示す写真は、寿命初期、具体的には１回目のランプリフレッシュ処理についてのものであり、（ａ）がランプリフレッシュ処理前であり、（ｂ）がランプリフレッシュ処理後である。
【００６８】
ランプリフレッシュ処理の前後の電極先端の状態は、図１３の（ａ）に示すように、ランプリフレッシュ処理前では、一方の電極（図１３の（ａ）では向かって左側の電極）の先端の凸部が消滅しているのが観察され、図１３の（ｂ）に示すように、ランプリフレッシュ処理後では、処理前に凸部が消滅していた電極の先端に凸部が新たに整形されているのが観察できる。
【００６９】
図１３から、ランプリフレッシュ処理を全く行わない点灯方法では、平均照度維持率（％）が５０（％）に達するのは、累積点灯時間が約２０００時間のときである。一方、ランプリフレッシュ処理を行った場合は、平均照度維持率（％）が５０（％）に達するのは、累積点灯時間が約３０００時間のときである。
このように、定格電力点灯中に、ランプ電圧Ｖｌａが所定の電圧Ｖｔｈ（９０Ｖ）に達したときに、ランプリフレッシュ処理を行うと、ランプリフレッシュ処理を全く行わなかった場合と比較して、平均照度維持率が５０（％）に達する時間（寿命となるまでの時間）が約１０００時間延び、累積点灯時間が１．５倍長くなっている。
【００７０】
これは、ランプの累積点灯時間が長くなるにつれて、ハロゲンサイクルによる電極材料の還元作用よりも電極の消耗の方が大きくなり、電極先端は徐々に後退し（図１４の（ａ）に示すランプリフレッシュ処理前の状態である。）、電極間距離の拡大や放電アークの位置ズレ等によってランプ電圧が上昇する。この上昇したときに、ランプリフレッシュ処理を行なうことにより、電極間距離が点灯初期段階に近い状態に回復させることができ（図１４の（ｂ）に示すランプリフレッシュ処理後の状態である。）、結果としてランプ寿命を長くすることができたと考えられる。
７．まとめ
上記背景技術で説明したような寿命初期の点灯電力を定格値以下で点灯する技術や、累積点灯時間に応じてランプに供給する電力を変化させる技術は、常時もしくは周期的に低電力で点灯するため、ランプへの熱負荷を低減させることができる。そしてこれにより、長寿命化を図ることができるが、ランプの定格電力点灯時において十分な明るさを確保できているとは言い難い。
【００７１】
しかしながら、本実施の形態に係る液晶プロジェクタでは、ランプリフレッシュ処理、つまり、低電力点灯と高電力点灯とを交互に行うことによって、電極間距離の回復と、適切なアークスポットの回復とを実現でき、ランプリフレッシュ処理期間を除く寿命期間において、定格の明るさを確保することが可能となることが実験により実証された。
また、本実施の形態に係る液晶プロジェクタは、ランプリフレッシュ処理を使用するか否かを、使用者が選択可能な構成としているため、突然ランプリフレッシュ処理が開始され、処理中に生じる、スクリーン照度の低下や変動による不快感を使用者に与えるようなことを回避できる。
＜第２の実施の形態＞
第１の実施の形態では、ランプリフレッシュ処理を実施するタイミングをランプ電圧が所定電圧値に達したか否か（ランプ電圧の検知）によって判別していたが、ランプリフレッシュ処理を実施するタイミングを累積点灯時間の検知や、ランプから発せられる照度や、ランプ電圧の変化量によって判別しても良い。また、ランプの状態に関わらず、使用者の判断によってランプリフレッシュ処理を実行しても良い。
【００７２】
第２の実施の形態では、ランプリフレッシュ処理を実施するタイミングを累積点灯時間が設定時間に達したか否か（累積点灯時間の検知）によって判別して行う場合について説明する。
１．構成
第２の実施の形態における点灯制御部は、第１の実施の形態で説明した図９のフローチャートのおけるステップＳ５で、ランプ電圧Ｖｌａで判定しているのを、累積点灯時間で判定している。
【００７３】
判定基準である設定時間は、ランプ特性が劣化しランプリフレッシュ処理が必要とされる累積点灯時間であり、予め試験等により求められている。この設定時間は、１つでも良いし、複数でも良く、以下の具体例では設定時間は、１，０００時間、１，５００時間、２，０００時間の３つが設定されている。
図１５は、第２の実施の形態における点灯制御部のフローチャートである。
【００７４】
第２の実施の形態における点灯制御部は、上述したように、図９のフローチャートにおけるステップＳ５の代わりに、図１５のステップＳ５１，Ｓ５３，Ｓ５５を行う。
まず、ステップＳ５１では、累積点灯時間Ｔが第１の設定時間Ｔｔｈ１（例えば、１，０００時間）であるか否かを判定し、第１の設定時間Ｔｔｈ１である場合（図中の「Ｙｅｓ」である。）はステップＳ７に進む。一方、第１の設定時間Ｔｔｈ１でない場合（図中の「Ｎｏ」である。）はステップＳ５３に進んで、累積点灯時間Ｔが第２の設定時間Ｔｔｈ２（例えば、１，５００時間）であるか否かを判定する。
【００７５】
判定結果が第２の設定時間Ｔｔｈ２である場合（図中の「Ｙｅｓ」である。）はステップＳ７に進み、第２の設定時間Ｔｔｈ２でない場合（図中の「Ｎｏ」である。）はステップＳ５５に進んで、累積点灯時間Ｔが第３の設定時間Ｔｔｈ３（例えば、２，０００時間）であるか否かを判定する。
判定結果が第３の設定時間Ｔｔｈ３である場合（図中の「Ｙｅｓ」である。）はステップＳ７に進み、第３の設定時間Ｔｔｈ３でない場合（図中の「Ｎｏ」である。）はステップＳ１７に進む。
２．比較試験
第２の実施の形態における液晶プロジェクタについて、第１の実施の形態と同様に、比較試験を行った。なお、試験に用いたランプ、点灯条件、ランプリフレッシュ処理は、第１の実施の形態と同じである。
【００７６】
図１６及び図１７は、比較試験の試験結果を示す図である。
なお、図中の実線がランプリフレッシュ処理を行った場合における結果を示し、図中の破線がランプリフレッシュ処理を全く行わなかった場合での結果を示す。
図１６から、ランプリフレッシュ処理を全く行わない点灯方法では、第１の実施の形態と同様に、累積点灯時間の増加に伴いランプ電圧Ｖｌａが増加している。一方、累積点灯時間Ｔが１，０００時間、１，５００時間、２，０００時間の設定時間Ｔｔｈでランプリフレッシュ処理を行った場合は、１回の処理によりランプ電圧Ｖｌａが８（Ｖ)程度下がっていることが分かる。
【００７７】
また、図１７から、ランプリフレッシュ処理を全く行わない点灯方法では、平均照度維持率が５０（％）に達するのは、累積点灯時間が約２０００時間のときである。一方、累積点灯時間Ｔが３つの設定時間Ｔｔｈでランプリフレッシュ処理を行った場合は、平均照度維持率（％）が５０（％）に達するのは、累積点灯時間が約３０００時間のときである。
【００７８】
このように、定格点灯中の累積点灯時間が所定時間になったときに、ランプリフレッシュ処理を行うと、ランプリフレッシュ処理を全く行わなかった場合と比較して、平均照度維持率が５０（％）に達する時間（寿命となるまでの時間）が約１０００時間延び、累積点灯時間が１．５倍長くなっている。
以上のことから、本発明の投射型画像表示装置（点灯方法）は、ランプリフレッシュ処理の実施のタイミングの検知方法が累積点灯時間であっても、ランプ電圧の場合と同様に長寿命化の効果を得られることが分かる。
【００７９】
＜変形例＞
以上、本発明を各実施の形態に基づいて説明したが、本発明の内容が、上記各実施の形態に示された具体例に限定されないことは勿論であり、例えば、以下のような変形例をさらに実施することができる。
１．ランプについて
上記実施の形態では、定格ランプ電力が１６５（Ｗ）のランプについて本発明の一例である投射型画像表示装置（点灯方法）を適用した場合について説明したが、本発明を他の定格ランプ電力のランプを利用した投射型画像表示装置（点灯方法）に適用させても良い。以下、本発明を定格ランプ電力が２００（Ｗ）のランプに適用した場合を、変形例として説明する。
（１）点灯方法
図１８は、変形例に係る制御パターンテーブルを示す図である。
【００８０】
まず、定格電力点灯では、点灯電力Ｗ０が２００（Ｗ）、点灯周波数ｆ０が１１５（Ｈｚ）、跳ね上げ率Ｈ０は１１０（％）である。なお、各点灯パターンにおける点灯は、定電力制御により点灯される。
ランプリフレッシュ点灯における低電力点灯では、点灯電力Ｗ１が１６０（Ｗ）、点灯周波数ｆ１が８５（Ｈｚ）、跳ね上げ率Ｈ１が１５０（％）であり、８分間の点灯が行なわれる。また、高電力点灯では、点灯電力Ｗ２は２００（Ｗ）、点灯周波数ｆ２は１１５（Ｈｚ）、跳ね上げ率Ｈ２は１３０（％）であり、２分間の点灯が行なわれる。
【００８１】
なお、低電力点灯及び高電力点灯の繰り返す処理回数についての設定回数「Ｎ」は「２」に設定されている。また、図９のステップＳ５におけるランプリフレッシュ処理の実行を判別するためのランプ電圧Ｖｔｈは９８（Ｖ）である。
（２）比較試験
図１９及び図２０は、比較試験の試験結果を示す図である。
【００８２】
なお、図中の実線がランプリフレッシュ処理を行った場合であり、図中の破線がランプリフレッシュ処理を全く行わなかった場合である。また、ランプリフレッシュ処理を３回行っている。
図１９から、ランプリフレッシュ処理を全く行わない点灯方法では、第１の実施の形態と同様に、累積点灯時間の増加に伴いランプ電圧Ｖｌａが単純に増加している。一方、ランプ電圧Ｖｌａが９８（Ｖ）でランプリフレッシュ処理を行った場合は、１回の当該処理によりランプ電圧Ｖｌａが８（Ｖ)程度下がっていることが分かる。
【００８３】
図２０から、ランプリフレッシュ処理を全く行わない点灯方法では、平均照度維持率が５０（％）に達するのは、累積点灯時間が約２，０００時間のときである。一方、ランプリフレッシュ処理を行った場合は、平均照度維持率が５０（％）に達するのは、累積点灯時間が約３，０００時間のときである。
図２１は、ランプリフレッシュ処理前後の電極先端の状態を示す写真である。なお、図２１に示す写真は、１回目のランプリフレッシュ処理についてのものであり、（ａ）がランプリフレッシュ処理前であり、（ｂ）がランプリフレッシュ処理後である。なお、同図に示す写真は、寿命後期、具体的には３回目のランプリフレッシュ処理についてのものである。
【００８４】
ランプリフレッシュ処理の前後の電極先端の状態は、図２１の（ａ）に示すように、ランプリフレッシュ処理前では、一方の電極（図では向かって左側の電極）の先端の凸部が消滅しているのが観察され、図２１の（ｂ）に示すように、ランプリフレッシュ処理後では、処理前に凸部が消滅していた電極の先端に凸部が新たに整形されているのが観察できる。
【００８５】
このように第１及び第２の実施の形態で説明したランプと定格電力の異なるランプについても、本発明に係るランプリフレッシュ処理は、照度維持率が５０（％）に達する時間（寿命となるまでの時間）を長くするのに有効であることが分かり、また、本発明は、定格ランプ電力に関係なく種々の高圧放電ランプを利用した投射型画像表示装置（点灯方法）にも適用できると推測できる。
（３）ランプの仕様について
本発明に係るランプは、第１及び第２の実施の形態で説明した仕様に限定するものではなく、例えば、以下の範囲にあるランプに適用することができる。
【００８６】
定格ランプ電力は、例えば１００Ｗ〜４００Ｗタイプのもので、電極間距離は、例えば０．５（ｍｍ）〜２．０（ｍｍ）の範囲に設定されたショートアークタイプのランプであれば良い。
発光物質である水銀は、放電空間の内容積あたり０．１５（ｍｇ／ｍｍ3）〜０．３５（ｍｇ／ｍｍ3）の範囲で封入されていれば良く、また、始動補助用ガスには、例えば、アルゴン、クリプトン、キセノンなどの希ガスが用いられ、当該希ガスには、ランプ冷却時における封入圧力は１００（ｍｂａｒ）〜４００（ｍｂａｒ）の範囲で封入されていれば良い。
【００８７】
さらに、ハロゲン化物には、例えば、臭素、沃素などが用いられ、１×１０-7（μｍｏｌ／ｍｍ3）〜１×１０-2（μｍｏｌ／ｍｍ3）の範囲で封入されていれば良い。
２．ランプリフレッシュ処理について
（１）点灯条件
本実施形態においては、点灯電力、点灯周波数、跳ね上げ率の各点灯パラメータ全てを変化させたが、点灯電力のみを変化させても良い。また、点灯周波数及び跳ね上げ率の設定についても、本実施の形態及び変形例に限定されるものではなく、電極間距離の回復と、適切なアークスポットの回復とを実現できる条件を、予め実験等によって求めておけば良い。
（２）点灯電力について
第１の実施形態におけるランプリフレッシュ処理では、図１１に示すように、定格電力（定格電力点灯時の点灯電力である。）の約７０％の点灯電力での低電力点灯と、定格電力と同じ点灯電力での高電力点灯とを交互に繰り返したが、本発明に係るランプリフレッシュ処理時の点灯電力は、低電力点灯においては定格電力に対して３０（％）８５（％）以下の範囲であれば良く、高電力点灯においては定格電力に対して９０（％）以上１０５（％）以下の範囲内にあれば良い。
【００８８】
これは、低電力点灯における点灯電力が、定格電力に対して３０（％）より小になると、ハロゲンサイクルが有効に作用しなくなる（つまり、放電空間内の温度が、ハロゲンサイクルが有効に作用する温度範囲を下回る。）ためであり、逆に、定格電力に対して８５（％）より大になると、ランプ特性（電極間距離）の回復効果がなくなる（電極材料が蒸発して電極先端に堆積部分が形成されない。）ためである。一方、高電力点灯における点灯電力が、定格電力に対して９０（％）より小になると、還元した電極材料が充分に溶融しないため電極先端に適切な凸部を整形することができず、適切な形状の電子放出スポット又はアークスポットを回復することができなくなり、逆に、高電力点灯における点灯電力が、定格電力に対して１０５（％）より大になると、還元した電極材料が溶融しすぎるため電極先端に適切な凸部を整形することができず、適切な形状の電子放出スポット又はアークスポットを回復できなくなるためである。
（３）点灯周波数について
第１の実施形態におけるランプリフレッシュ処理では、定格電力点灯における点灯周波数の約７０％の点灯周波数での低電力点灯と、定格電力点灯における点灯周波数と同じ点灯周波数での高電力点灯とを交互に繰り返したが、本発明に係るランプリフレッシュ処理時の点灯周波数は、低電力点灯においては定格電力点灯時の周波数に対して３０（％）以上８５（％）以下の範囲であれば良く、高電力点灯においては定格電力点灯時の点灯周波数に対して９５（％）以上１０５（％）以下の範囲内にあれば良い。
【００８９】
これは、低電力点灯における点灯周波数が、定格電力点灯時の点灯周波数に対して３０（％）より小になると、還元した電極材料が電極の広範囲に堆積し、高電力点灯に移ったときに電極先端に適切な凸部を整形できないためであり、逆に、定格電力点灯時の点灯周波数に対して８５（％）より大になると、ランプ特性（電極間距離）の回復効果がなくなるためである。一方、高電力点灯における点灯周波数が、定格電力点灯時の点灯周波数に対して９５（％）より小になると、還元した電極材料を溶融しすぎるため電極先端に適切な凸部を整形することができず、適切な形状の電子放出スポット又はアークスポットを回復することができなくなり、逆に、高電力点灯における点灯周波数が、定格電力点灯時の点灯周波数に対して１０５（％）より大になると、還元した電極材料を充分に溶融しないため電極先端に適切な凸部を整形することができず、適切な形状の電子放出スポット又はアークスポットを回復できなくなるためである。
（４）点灯電流波形について
第１の実施形態におけるランプリフレッシュ処理では、定格電力点灯時の点灯電流波形の実効値の約１３５％の実効値での低電力点灯と、定格電力点灯時の点灯電流波形の実効値の約１１５％の実効値での高電力点灯とを交互に繰り返したが、本発明に係るランプリフレッシュ処理時の点灯電流波形の実効値は、低電力点灯においては定格電力点灯時の点灯電流波形の実効値に対して１００（％）以上２００（％）以下の範囲であれば良く、高電力点灯においては定格電力点灯時の点灯電流波形の実効値に対して１００（％）以上１５０（％）以下の範囲内にあれば良い。
【００９０】
点灯電流波形の実効値を上記範囲にする理由は、上述の点灯電力の理由とほぼ同じ理由である。つまり、低電力点灯における点灯電流波形の実効値が、定格電力点灯時の点灯電流波形の実効値に対して１００（％）より小になると、還元した電極材料が電極の広範囲に堆積し、高電力点灯に移ったときに電極先端に適切な凸部を整形することができなくなり、逆に、定格電力点灯時の点灯電流波形の実効値に対して２００（％）より大になると、ランプ特性（電極間距離）の回復効果がなくなる（電極材料が蒸発して電極先端に堆積部分が形成されない。）ためである。一方、高電力点灯における点灯電流波形の実効値が、定格電力点灯時の点灯電流波形の実効値に対して１００（％）より小になると、還元した電極材料が充分に溶融しないため電極先端に適切な凸部を整形することができず、適切な形状の電子放出スポット又はアークスポットを回復することができなくなり、逆に、高電力点灯における点灯電流波形の実効値が、定格電力点灯時の点灯電流波形の実効値に対して１５０（％）より大になると、還元した電極材料が溶融しすぎるため電極先端に適切な凸部を整形することができず、適切な形状の電子放出スポット又はアークスポットを回復できなくなるためである。
（５）処理時間について
第１の実施形態におけるランプリフレッシュ処理では、図１１に示すように、低電力点灯時間（Ｔ１）は８分で、高電力点灯時間（Ｔ２）は２分であったが、低電力点灯時間（Ｔ１）は５分以上６０分以下の範囲であれば良く、また、高電力点灯時間（Ｔ２）は５秒以上３０分以下の範囲であれば良い。
【００９１】
これは、低電力点灯時間が５分より短いと、電極に還元する電極材料が少なく（電極材料の堆積が充分でない）、ランプ特性（電極間距離）の回復が充分に図れないためであり、逆に６０分より長くなると還元する電子材料が多く（電極材料の堆積が多く）なり、高電力点灯による電極の再生（電極先端に適切な形状の凸部の整形）が困難になるからである。
【００９２】
一方、高電力点灯時間が５秒より短いと、還元した電極材料が溶融せず、適切な形状の電子放出スポット又はアークスポットを回復できなくなり、３０分より長いと、還元した電極材料が溶融しすぎて、適切な形状の電子放出スポット又はアークスポットを回復できなくなるためである。
（６）点灯電流波形の形状について
第１の実施の形態における点灯電流波形の形状は、図７に示すように、矩形波に鋸波を重畳した形状をしているが、他の形状でも良い。
【００９３】
図２２は、点灯電流波形の形状の例を示す図である。
点灯電流波形は、例えば、同図の（ａ）に示すような、矩形波形にパルス波形を重畳させた形状でも良く、また、同図の（ｂ）に示すような、矩形波形に反転パルス波形を重畳させた形状でも良い。
つまり、本発明に係る点灯電流波形は、第１の実施の形態で説明した波形や上述の波形でなくても良く、矩形波形状の電流値が、一定の電流値（実効値）よりも高い値の電流が流れるような電流の変化部分があるような形状であれば良い。これは、電流の変化部分を有することにより、極性反転前の電極の温度を上昇させることができ、電極に堆積した電極材料をランプ点灯初期に近い電極の状態に回復することができるからである。
【００９４】
電流の変化部分は、図７のように、電流値が単純に増加するような変化、逆に、電流値が単純に減少するような変化であっても良いし、図２２の（ｂ）のように、電流値の極性が一旦反転した後に実効値よりも高い電流値に変化しても良いし、さらには、図２２の（ｂ）とは反対に、電流が実効値よりも高い電流値に変化した後に一旦電流の極性が変化しても良い。
（７）判断基準
ランプリフレッシュ処理は、実施の形態等では、ランプ電圧が所定の一定の電圧値になったとき、或いは、累積点灯時間が一定の間隔（１０００時間以降であって一定の間隔が５００時間である。）をおいた所定の時間になったときに、当該処理を実行するタイミングと判定している。
【００９５】
しかしながら、ランプ電圧の判定基準は一定でなくても良く、ランプリフレッシュ処理の回数に応じて変化するようにしても良いし、ランプリフレッシュ処理を行なう累積点灯時間の間隔を累積点灯時間の長さによって、徐々に間隔を短くしても良い。
（８）その他
上記の実施の形態等におけるランプリフレッシュ処理の点灯パラメータの一時的な変化、つまり、定常点灯時の各点灯パラメータの値と、ランプリフレッシュ点灯時の各点灯パラメータの値とは、一定の比率で変化しているが、一定の比率で変化しなくても良い。
【００９６】
具体的には、ランプ特性、例えば、ランプ電圧、ランプ電流、輝度（照度）の特性の経時変化に合せて変化させても良い。
図２３及び図２４は、照度特性を基準として場合の比較試験の試験結果を示す図である。
なお、図中の実線がランプリフレッシュ処理を行った場合であり、図中の破線がランプリフレッシュ処理を全く行わなかった場合である。また、ランプリフレッシュ処理を３回行っている。
【００９７】
本試験では、第１の実施の形態における比較試験に用いたランプと同様であり、その点灯方法も、第１の実施の形態における比較試験に用いた点灯方法と同様である（つまり、図１１に示す制御パターンで行っている。）
なお、第１の実施の形態では、ランプリフレッシュ処理を行なうか否かの判定基準は、ランプ電圧であったが、ここでは、照度維持率で行なっている。具体的には、ランプの照度を測定し、この照度が、初期（設計時）の照度を基準にして７５（％）に達したか否かにより、処理実行の判断を行っている（言うまでもなく、この場合照度を測定するセンサーを備えている。）。
【００９８】
本試験では、図２３に示すように、ランプの照度維持率が７５（％）に達すると、ランプリフレッシュ処理を行なっている。
図２４から、ランプリフレッシュ処理を全く行わない点灯方法では、第１の実施の形態と同様に、累積点灯時間の増加に伴いランプ電圧Ｖｌａが単純に増加している。一方、照度維持率が７５（％）でランプリフレッシュ処理を行った場合は、１回の当該処理によりランプ電圧Ｖｌａが下がっていることが分かる。
【００９９】
そして、図２３に示すように、ランプリフレッシュ処理を全く行わない点灯方法では、平均照度維持率が５０（％）に達するのは、累積点灯時間が約２，０００時間のときである。一方、ランプリフレッシュ処理を行った場合は、平均照度維持率が５０（％）に達するのは、累積点灯時間が約３，０００時間のときである。
このように第１の実施の形態で説明したランプを第１の実施の形態で説明した点灯方法で点灯するような場合について、ランプリフレッシュ処理の実行の判断をランプ電圧以外の照度維持率で行っても、第１の実施の形態で説明した例と同様に、照度維持率が５０（％）に達する時間（寿命となるまでの時間である。）を長くするのに有効であることが分かり、また、本発明は、定格ランプ電力に関係なく種々の高圧放電ランプについて、照度維持率を判断基準としても良いものと推測できる。
【０１００】
なお、特性回復処理として、点灯電力と周波数を変化させると、電極に電極材料を還元させやすく、つまり、電極材料を堆積させやすくなる。一方、特性回復処理として、点灯電力と点灯電流波形を変化させると、電極材料を電極の先端部分に部分的（ピンポイント）堆積させやすくなる。
３．投射型画像表示装置について
（１）表示装置
第１の実施の形態では、ランプを備える画像表示装置として、前面投射型画像表示装置について説明したが、例えば、背面投射型の画像表示装置でも実施できる。
【０１０１】
図２５は、変形例に係る背面投射型の画像表示装置の全体斜視図である。
背面投射型プロジェクタ２３０は、キャビネット２３２の前壁に画像等を表示するスクリーン２３４を備え、またキャビネット２３２の内部には、上記のランプユニット３、制御ユニット５、点灯装置７等を備える。
また、ランプリフレッシュ処理を実行する時期に到達したことを使用者に報知するための表示部２３６及び実行する旨の操作を行うための操作部２３８をキャビネット２３２におけるスクリーン２３４の下方部分に有している。
【０１０２】
また、本実施形態においては、映像表示素子として、ＬＣＤを備えた投射型画像表示装置について説明したが、例えば、ＬＣＯＳやＤＬＰを備えた投射型画像表示装置でも実施できる。
（２）点灯装置等
さらに、実施の形態では、報知手段、受け付け手段は制御ユニットにより制御される構成であったが、例えば、点灯装置の点灯制御部が、報知手段と受け付け手段とを制御するようにしても良い。
【０１０３】
また、高圧放電ランプを定格点灯させる点灯装置であれば、本発明を適用させることができ、このような点灯装置としては、例えば、投射型画像表示装置内の光源である高圧放電ランプを点灯させる点灯装置、店舗用・屋外用の照明用に用いられる高圧放電ランプを点灯させる点灯装置等がある。
報知手段は、実施の形態等では、例えば、ＬＥＤ等を用いて、ランプリフレッシュ処理の時期が到来した際に、ＬＥＤ等を点灯させて、使用者に報知するようにしているが、他の方法で使用者に報知するようにしても良い。
【０１０４】
他の方法としては、例えば、警告音（アナウンス等も含む。）を発する警告手段、文字等の画像を表示する画像表示手段、さらには、映像を表示するスクリーンにランプリフレッシュ処理到来の旨を表示するようにしても良い。
一方、受け付け手段は、実施の形態等では、例えば、操作ボタンを押圧することで、使用者がランプリフレッシュ処理を実施するよう指示したとして、使用者の実施指示を受け付けたとしているが、他の方法で受け付けて良い。
【０１０５】
他の方法としては、画像表示装置のリモコン等を利用して、所定の操作を行うことで、使用者の指示を受け付ける方法、上記の報知手段と受け付け手段とが一体となったタッチパネル等がある。
４．その他
上記各実施の形態及び変形例は、本発明の一例であり、各実施の形態及び変形例のそれぞれを適宜組み合わせた例も本発明に含まれるのは言うまでない。
【産業上の利用可能性】
【０１０６】
本発明に係るハロゲンサイクルを利用した高圧放電ランプを光源とする投射型画像表示装置は、ランプ特性回復処理を行うことによって、例えば、電極間距離の回復、輝度の回復、ランプ電圧等のランプ特性を回復することができ、ランプの長寿命化を図るのに利用できる。
【図面の簡単な説明】
【０１０７】
【図１】実施の形態に係る液晶プロジェクタの一部を切り欠いた斜視図である。
【図２】本実施の形態に係るランプユニットの斜視図である。
【図３】ランプユニットの平面図であり、内部のランプの様子が分かるように反射鏡を切り欠いている。
【図４】ランプの制御特性を示す図である。
【図５】ランプリフレッシュ処理における電極先端の様子を示す説明図である。
【図６】ランプを点灯させるための点灯装置を示すブロック図である。
【図７】跳ね上げ率を説明するための図である。
【図８】制御パターンテーブルの一例を示す図である。
【図９】実施の形態に係るランプの点灯制御の内容を示すフローチャートである。
【図１０】ランプリフレッシュ処理のフローチャートである。
【図１１】試験に係るランプの制御パターンテーブルである。
【図１２】比較試験の試験結果を示す図である。
【図１３】比較試験の試験結果を示す図である。
【図１４】ランプリフレッシュ処理前後の電極先端の状態を示す写真である。
【図１５】第２の実施の形態における点灯制御部のフローチャートである。
【図１６】比較試験の試験結果を示す図である。
【図１７】比較試験の試験結果を示す図である。
【図１８】変形例に係る制御パターンテーブルを示す図である。
【図１９】比較試験の試験結果を示す図である。
【図２０】比較試験の試験結果を示す図である。
【図２１】ランプリフレッシュ処理前後の電極先端の状態を示す写真である。
【図２２】点灯電流波形の形状の例を示す図である。
【図２３】照度特性を基準として場合の比較試験の試験結果を示す図である。
【図２４】照度特性を基準として場合の比較試験の試験結果を示す図である。
【図２５】変形例に係る背面投射型の画像表示装置の全体斜視図である。
【図１】
0005154883.tif 000002
【図２】
0005154883.tif 000003
【図３】
0005154883.tif 000004
【図４】
0005154883.tif 000005
【図５】
0005154883.tif 000006
【図６】
0005154883.tif 000007
【図７】
0005154883.tif 000008
【図８】
0005154883.tif 000009
【図９】
0005154883.tif 000010
【図１０】
0005154883.tif 000011
【図１１】
0005154883.tif 000012
【図１２】
0005154883.tif 000013
【図１３】
0005154883.tif 000014
【図１４】
0005154883.tif 000015
【図１５】
0005154883.tif 000016
【図１６】
0005154883.tif 000017
【図１７】
0005154883.tif 000018
【図１８】
0005154883.tif 000019
【図１９】
0005154883.tif 000020
【図２０】
0005154883.tif 000021
【図２１】
0005154883.tif 000022
【図２２】
0005154883.tif 000023
【図２３】
0005154883.tif 000024
【図２４】
0005154883.tif 000025
【図２５】
0005154883.tif 000026